(57)【要約】【課題】  複数のホーン型放射素子を密着させて配置した場合でも、内側のホーン型放射素子を自由に付け外し可能とし、組立時間を短縮したアンテナ用放射器の接続構造を得ることを目的とする。【解決手段】  複数の導波管２を有した給電部１に対し、ホーン型放射素子４の導波管継ぎ手１５を接続する際、導波管継ぎ手１５を挿抜可能な開口穴２１を有した固定具で固定し、固定具をスライドさせることによって、ホーン型放射素子４の固定状態と非固定状態を切り替える。【選択図】      図１
2007235563.tif 000002
【特許請求の範囲】
【請求項１】
ホーン部と当該ホーン部に接続された導波管継ぎ手を有する複数のホーン型放射素子と、
上記ホーン型放射素子の導波管継ぎ手が接続される複数の導波管を有した給電部と、
上記ホーン型放射素子の導波管継ぎ手を挿抜可能な開口穴を有し、上記給電部における上記ホーン型放射素子の取り付け面内で移動可能に保持されて、当該開口穴が上記導波管に正対する所定位置に移動したときに上記ホーン型放射素子の固定が解除され、当該開口穴が上記各導波管の間の所定位置に移動したときに上記ホーン型放射素子が固定される固定具と、
を備えたアンテナ用放射器の接続構造。
【請求項２】
根元から放射口に向かって外形幅が拡がるホーン部と、当該ホーン部の根元に接続され、外形幅が根元より大きく放射口よりも小さい導波管継ぎ手とを有する複数のホーン型放射素子と、
上記ホーン型放射素子の導波管継ぎ手が取り付けられ、当該ホーン型放射素子に接続される複数の導波管と、当該各導波管周囲に設けられた押さえ具とを有する給電部と、
上記各ホーン型放射素子の導波管継ぎ手の外形幅よりも開口幅が大きい挿抜用開口部、及び挿抜用開口部に繋がった開口が形成され、開口幅が導波管継ぎ手の外形幅よりも小さくかつホーン部の根元よりも大きい固定用開口部から成る開口穴が形成され、上記導波管の配列間隔に対応して当該開口穴が所定間隔で複数個配列された固定具と、
を備え、
上記固定具は、上記給電部におけるホーン型放射素子の取付面内で、側端部が上記押さえ具に沿って移動可能に設置され、
上記固定具の移動により、上記挿抜用開口部もしくは固定用開口部の少なくとも一方が上記導波管に正対し、
上記固定用開口部が上記導波管に正対するときに、上記導波管継ぎ手が固定用開口部の開口端縁に付勢され、上記ホーン型放射素子が上記固定具によって固定されることを特徴とするアンテナ用放射器の接続構造。
【請求項３】
根元から放射口に向かって外形幅が拡がるホーン部と、ホーン部の根元に接続され、外形幅が根元より大きく放射口よりも小さい導波管継ぎ手とを有する複数のホーン型放射素子と、
上記ホーン型放射素子が取り付けられ、当該ホーン型放射素子に接続される複数の導波管と、当該各導波管周囲に設けられた押さえ具とを有する給電部と、
上記導波管の配列間隔に対応して両側端に所定間隔で配列された複数の開口穴、及び中央に設けられた長穴が形成された固定具と、
を備え、
上記固定具は、上記給電部におけるホーン型放射素子の取付面内で、上記押さえ具が上記長穴に沿って移動可能に設置され、
上記固定具の移動により、上記開口穴が上記各導波管に正対するときに上記開口穴の周縁が上記導波管継ぎ手外周の外側に位置し、
上記切欠き部が上記各導波管の間に位置するときに上記導波管継ぎ手が上記固定具側端面に付勢され、上記ホーン型放射素子が上記固定具によって固定されることを特徴とするアンテナ用放射器の接続構造。
【発明の詳細な説明】
【技術分野】
【０００１】
この発明は、放射器にホーン型放射素子を使用したフェーズドアレイアンテナの接続構造に関するものである。
【背景技術】
【０００２】
機械的なアンテナ駆動部無しにビームを走査することができるフェーズドアレイアンテナは通信路設定が柔軟であることから、衛星用のアンテナとしても注目されていることは周知のところである（例えば、特許文献１参照）。
【０００３】
この種のアンテナとして、複数のホーン型放射素子をアンテナアレイ面に均一に密集させて配置し、ホーン型放射素子をプラスチックの射出成型品によって作る従来技術が知られている（例えば、特許文献２参照）。
【０００４】
【特許文献１】特開平７−２２１５３２号公報（図５）
【特許文献２】特開２００１−１８９６１８号公報（図３）
【０００５】
このホーン型放射素子は、射出成型されたプラスチックを用いているので、衛星軌道上で晒される低温〜高温の温度サイクルによるホーン部の変形や、宇宙線の影響による表面の電気特性変化などを生じてしまう。
【発明の開示】
【発明が解決しようとする課題】
【０００６】
衛星軌道上での温度サイクルや宇宙線に対して安定した特性を有するホーン型放射素子を得るには、金属の機械加工によってホーン型放射素子を製作するのが適している。この場合、ホーン型放射素子と給電部との接続インタフェースに導波管継ぎ手を用いる。ホーン型放射素子は、ネジを使用して給電部に機械的に固定される。
【０００７】
しかし、ホーン型放射素子を給電部に接続する際、アンテナ利得の最大化を図るためにホーン型放射素子の開口部を密集させて配置すると、ホーン型放射素子の継ぎ手部をネジで締め付け固定するための作業スペースが無くなってしまう。これにより、作業性が悪化して組立時間が増大してしまうという問題があった。
【０００８】
また、ホーン型放射素子の取付け、取外し作業は、ホーン型放射素子の少なくとも一辺に、隣り合うホーン型放射素子が存在しない状態で行わなければならないため、アレイ状に並んだ複数のホーン型放射素子の中から、内側の放射素子のみを取外したり、取付けたりすることができないという問題があった。
【０００９】
なお、内側の放射素子を取り外す場合は、外側の放射素子から順に取り外してゆき、当該放射素子の少なくとも一辺に、隣り合う放射素子が存在しない状態にしなければならなかった。
【００１０】
この発明は、係る課題を解決するために成されたものであり、複数のホーン型放射素子を密着させて配置した場合でも、内側のホーン型放射素子を自由に付け外し可能とし、さらに組立時間を短縮することを目的とする。
【課題を解決するための手段】
【００１１】
この発明によるアンテナ用放射器の接続構造は、ホーン部とホーン部に接続された導波管継ぎ手を有する複数のホーン型放射素子と、上記ホーン型放射素子の導波管継ぎ手が接続される複数の導波管を有した給電部と、上記ホーン型放射素子の導波管継ぎ手を挿抜可能な開口穴を有し、上記給電部における上記ホーン型放射素子の取り付け面内で移動可能に保持されて、当該開口穴が上記導波管に正対する所定位置に移動したときに上記ホーン型放射素子の固定が解除され、当該開口穴が上記各導波管の間の所定位置に移動したときに上記ホーン型放射素子が固定される固定具と、を備えたものである。
【００１２】
また、根元から放射口に向かって外形幅が拡がるホーン部と、当該ホーン部の根元に接続され、外形幅が根元より大きく放射口よりも小さい導波管継ぎ手とを有する複数のホーン型放射素子と、
上記ホーン型放射素子の導波管継ぎ手が取り付けられ、当該ホーン型放射素子に接続される複数の導波管と、
当該各導波管周囲に設けられた押さえ具とを有する給電部と、上記各ホーン型放射素子の導波管継ぎ手の外形幅よりも開口幅が大きい挿抜用開口部、及び挿抜用開口部に繋がった開口が形成され、開口幅が導波管継ぎ手の外形幅よりも小さくかつホーン部の根元よりも大きい固定用開口部から成る開口穴が形成され、上記導波管の配列間隔に対応して当該開口穴が所定間隔で複数個配列された固定具と、を備え、
上記固定具は、上記給電部におけるホーン型放射素子の取付面内で、側端部が上記押さえ具に沿って移動可能に設置され、上記固定具の移動により、上記挿抜用開口部もしくは固定用開口部の少なくとも一方が上記導波管に正対し、上記固定用開口部が上記導波管に正対するときに、上記導波管継ぎ手が固定用開口部の開口端縁に付勢され、上記ホーン型放射素子が上記固定具によって固定されても良い。
【００１３】
さらに、根元から放射口に向かって外形幅が拡がるホーン部と、ホーン部の根元に接続され、外形幅が根元より大きく放射口よりも小さい導波管継ぎ手とを有する複数のホーン型放射素子と、
上記ホーン型放射素子が取り付けられ、当該ホーン型放射素子に接続される複数の導波管と、当該各導波管周囲に設けられた押さえ具とを有する給電部と、
上記導波管の配列間隔に対応して両側端に所定間隔で配列された複数の開口穴、及び中央に設けられた長穴が形成された固定具と、を備え、
上記固定具は、上記給電部におけるホーン型放射素子の取付面内で、上記押さえ具が上記長穴に沿って移動可能に設置され、上記固定具の移動により、上記開口穴が上記各導波管に正対するときに上記開口穴の周縁が上記導波管継ぎ手外周の外側に位置し、上記切欠き部が上記各導波管の間に位置するときに上記導波管継ぎ手が上記固定具側端面に付勢され、上記ホーン型放射素子が上記固定具によって固定されても良い。
【発明の効果】
【００１４】
この発明によれば、ホーン型放射素子を給電部に密着させて配列した場合でも、配列内側のホーン型放射素子の取り付け取り外しが簡単になるという効果を奏する。
【発明を実施するための最良の形態】
【００１５】
実施の形態１．
この実施の形態１による発明は、複数の導波管２を有した給電部１にホーン型放射素子４の導波管継ぎ手１５を接続する際、導波管継ぎ手１５を挿抜可能な開口穴２１を有した固定具で固定し、固定具を導波管継ぎ手１５の取り付け面内でスライドさせることによって、ホーン型放射素子４の固定状態と非固定状態とを切り替えることを特徴とする。以下、実施の形態１について詳細を説明する。
【００１６】
図１は実施の形態１によるアンテナ用放射器の接続構造を示す図であり、図２は給電部上のホーン型放射素子取り付け面を示す斜視図である。
図１において、給電部１は、複数の導波管２が所定の間隔で二次元的にアレイ状に配列されている。給電部１は、取り付け面３上に複数のホーン型放射素子４が取り付けられ、それぞれ導波管２に接続されている。ホーン型放射素子４は、ホーン部１０とホーン部１０の根元に接続された導波管継ぎ手（突縁部）１５から成る。ホーン部１０は、先端に放射口１１を有し、根元１２から先端に向かって板状の壁面が所定の拡がり角を有してテーパ状に拡がりをなして構成される。導波管継ぎ手１５には、ピン穴１６が設けられるとともに、ホーン部１０の放射口１１と連通した導波管端子が構成される。導波管継ぎ手１５は固定具５によって固定される。固定具５は、押さえ金（押さえ具）６によって、給電部１の取り付け面内をスライドし、移動可能に保持されている。押さえ金６は、ねじ７の締結により給電部１に固定される。固定具５は、複数の押さえ金６によって取り付け面３の面外方向には動かないようになっている。また、固定具５は、押さえ金６に沿って直線的に移動可能に保持される。
この実施の形態１では、複数のホーン型放射素子４が給電部１に配列されて、フェーズドアレイアンテナが構成される。
【００１７】
図２において、給電部１の取り付け面３上には、複数の導波管２の開口穴が所定の間隔で二次元配列されている。また、取り付け面３上には、複数の位置決めピン２０が、各導波管２の周囲に２本づつ配置されており、取り付け面３全体で導波管継ぎ手１５が接続される導波管継ぎ手を構成している。ホーン型放射素子４の導波管継ぎ手１５のピン穴１６が、位置決めピン２０に嵌合して、ホーン型放射素子４が取り付け面内で正確に位置決めされる。なお、位置決めピン２０やピン穴１６の替わりに、導波管継ぎ手１５の外形に合わせた突起や溝を設けることによって、導波管継ぎ手同士（導波管継ぎ手１５と導波管２）の位置決めを正確に行い、かつ取り付け面内で移動しないように固定することができれば、他の固定手段を用いても良い。
【００１８】
給電部１の内部には複数の導波管が這い回しされ、図示しないアンテナ給電回路に接続されている。すなわち、給電部１の取り付け面３は、ホーン型放射素子４をアンテナ給電回路に接続するための導波管インタフェースを構成している。なお、複数の導波管２と、アンテナ給電回路とが別体に構成されていても良い。
アンテナ給電回路は、電力分配器や送信系及び受信系のＲＦ（Radio Frequency）回路から構成されている。送信系ＲＦ回路及び受信系ＲＦ回路はＲＦスイッチで送信及び受信の切換え接続を行い、送信系ＲＦ回路は移相器、高出力増幅器、及び励振器等で構成される。受信系ＲＦ回路は低雑音増幅器、ミクサ、及び検波器等で構成される。
給電部１の送信系ＲＦ回路により生成された送信電波は、給電部１の各導波管２から出力され、各ホーン型放射素子４に給電される。各ホーン型放射素子４は、送信系ＲＦ回路の移相器による設定位相に基づいて、給電された送信電波を空間に放射する。また、ホーン型放射素子４は、受信系ＲＦ回路の移相器による設定位相に基づいて、各ホーン型放射素子４に入射する電波を受ける。各ホーン型放射素子４で受信した電波は、給電部１の受信系ＲＦ回路に入力され、信号増幅、周波数混合、信号検波等、各種受信信号処理がなされる。
【００１９】
図３は、（ａ）固定具５の構成を示す斜視図、及び（ｂ）押さえ金６の構成を示す斜視図である。
図３（ａ）において、固定具５は、挿抜用開口穴２１と、挿抜用開口穴２１に繋がった固定用開口穴２２を備えている。挿抜用開口穴２１及び固定用開口穴２２は凸形状の１つの開口穴２３を構成し、開口穴２３は固定具５に複数配列される。挿抜用開口穴２１は、開口幅が導波管継ぎ手１５の外形幅よりも大きく、ホーン型放射素子４の導波管継ぎ手１５が通り抜けることができ、導波管継ぎ手１５を挿抜可能な大きさをなしている。また、固定用開口穴２２は、開口幅が導波管継ぎ手１５の外形幅よりも小さく、かつ開口幅がホーン部１０の根元１２よりも大きい。開口穴２３はホーン型放射素子２に接続される導波管２の配列ピッチに対応した所定の間隔で配列される。図示の例では、開口穴２３が直列に配置されている。
【００２０】
図３（ｂ）において、押さえ金６は、底部２５と底部２５からＬ字形状に繋がった押さえ部２４から構成される。押さえ金６は底部２５と押さえ部２４とがＴ字状に接続され、底部２５にねじの挿抜穴が設けられている。
【００２１】
この実施の形態１は以上のように構成され、次のように動作する。
まず、ホーン型放射素子４の取り付け手順について説明する。
押さえ金６の押さえ部２４に沿って固定具５を直線的に（開口穴２３の挿抜用開口穴２１から固定用開口穴２２に向かう方向に）移動させ、挿抜用開口穴２１を給電部１の導波管２に位置合わせする。この状態で、挿抜用開口穴２１の穴越しにホーン型放射素子４を挿入し、複数のホーン型放射素子４を給電部１の導波管２に位置合わせする。この際、ホーン型放射素子４は、給電部１の位置決めピン２０によって位置決めされる。
【００２２】
ホーン型放射素子４の位置決めが完了した後、押さえ金６に沿って固定具５を（開口穴２３の固定用開口穴２２から挿抜用開口穴２１に向かう方向に）スライドさせて、固定用開口穴２２が導波管継ぎ手１５と正対する位置まで、固定具５を移動させる。図１の例では、図の矢視Ａの方向に移動させることによって、導波管２が固定用開口穴２２の内部に位置するところまで移動させ、固定用開口穴２２をホーン型放射素子４の根元１２に合わせる。
この際、固定具５における固定用開口穴２２周縁の下面が、ホーン型放射素子４の導波管継ぎ手１５の上面に接触して当該上面を付勢し、固定具５が導波管継ぎ手１５を押さえ込むことにより、ホーン型放射素子４が上下方向にも移動しなくなり、ホーン型放射素子４が完全に固定される。
【００２３】
次に、ホーン型放射素子４の取り外し手順について説明する。
押さえ金６の押さえ部２４に沿って固定具５を直線的に取り付け時と逆方向（開口穴２３の挿抜用開口穴２１から固定用開口穴２２に向かう方向）に移動させ、挿抜用開口穴２１を給電部１の導波管２に位置合わせし、固定具５によるホーン型放射素子４の固定を解除する。この状態で、挿抜用開口穴２１の穴越しにホーン型放射素子４を取り出し、複数のホーン型放射素子４を抜き出す。
【００２４】
なお、この実施の形態１において、固定具５によるホーン型放射素子４の固定と固定解除（非固定）の２状態を設定するためには、次の条件式（１）を満足する必要がある。
【００２５】
【数１】
2007235563.tif 000003
【００２６】
ここで、この実施の形態１の効果について説明する。
まず、比較例として、図４に従来のホーン型放射素子６０の接続構造について説明する。ホーン型放射素子６０の導波管継ぎ手６２は、給電部１００に複数配列された導波管継ぎ手５０に接続され、固定される。導波管継ぎ手６２は、ねじ６１によってホーン型放射素子６０をねじ穴５１に締結する。これによって、ホーン型放射素子６０は導波管５２に接続される。
【００２７】
ホーン型放射素子６０を取付け、取外しする場合、ホーン型放射素子６０の少なくとも一辺に、隣り合うホーン型放射素子６０が存在しない状態で行わなければならない。このため、アレイ状に並んだホーン型放射素子６０の内側の放射素子（図４のＰ）のみを、単独で取外したり、取付けたりすることはできない。
例えば、内側の放射素子を取り外す場合は、外側の放射素子から順番に取り外してゆき、当該放射素子の少なくとも一辺に隣り合う放射素子が存在しない状態にしなければならない。
【００２８】
しかしながら、この実施の形態１によれば、アレイ状に並んだ多数のホーン型放射素子４を同時に、取り付け固定したり、固定解除して取り外すことが可能になる。このため、従来のような給電部のねじ締め付けに伴なった、ホーン型放射素子の取付順番の制限を解消することができる。これによって、複数のホーン型放射素子４を用いたフェーズドアレイアンテナの組立時間を、大幅に短縮することができる。
【００２９】
実施の形態２．
図５は実施の形態２によるアンテナ用放射器の接続構造を示す図である。図中、実施の形態１の図１〜３と同一符号のものは、同一相当のものを示す。
【００３０】
図において、固定具２９、３０は、保持具６に沿って、取り付け面３内で直線的にスライド可能に構成されている。
この実施の形態２では、固定具２９、３０にホーン型放射素子４の導波管継ぎ手が入る穴を明けず、隣り合ったホーン型放射素子４の側端部に設けられた切り欠き穴（開口穴）を通じてホーン型放射素子４を挿抜可能な構造とするとともに、固定具２９、３０によりホーン型放射素子４を保持固定可能な構造としたことを特徴としている。ホーン型放射素子４及び給電部１については、実施の形態１で説明したものと同等の構成である。
【００３１】
導波管継ぎ手１５は固定具２９、３０によって固定される。固定具２９、３０は、いずれも押さえ金（押さえ具）６によって、給電部１の取り付け面内をスライドし、移動可能に保持されている。押さえ金６は、図示しないねじの締結により、給電部１に固定される。固定具２９、３０は、複数の押さえ金６によって、取り付け面３の面外方向には動かないようになっている。また、固定具２９、３０は、押さえ金６に沿って直線的に移動可能に保持される。ホーン型放射素子４の導波管継ぎ手１５のピン穴１６が、位置決めピン２０に嵌合して、複数のホーン型放射素子４が取り付け面内で正確に位置決めされる。固定具２９は、給電部１における両長辺側の側端面と当該端面周辺に隣接配置された導波管２との間に配置される。固定具３０は、長手方向に配列された各導波管列の間に配置される。
この実施の形態２では、複数のホーン型放射素子４が給電部１に配列されて、フェーズドアレイアンテナが構成される。
【００３２】
図６は、（ａ）固定具３０の構成を示す斜視図、及び（ｂ）固定具２９の構成を示す斜視図である。
図６（ａ）において、固定具３０は、複数の凹形状をなす挿抜用開口穴３１を両側端部に備え、両側短辺の各中央を繋ぐ線上に長穴３２を備えている。挿抜用開口穴３１は、固定具３０の長手方向に導波管配列と同ピッチで複数配列される。また、固定具３０における挿抜用開口穴３１が設けられていない側端面は、固定具３０の長手方向に導波管配列と同ピッチで複数配列される。すなわち、挿抜用開口穴３１と最外側端縁とが導波管の配列ピッチで矩形波状に配置されている。挿抜用開口穴３１は、長手方向の開口幅が導波管継ぎ手１５の外形幅よりも大きい。また、長穴３２は、式１に示すピッチＰよりも長く設定される。
【００３３】
図６（ｂ）において、固定具２９は、複数の凹形状をなす挿抜用開口穴３１を片端部に備えている。挿抜用開口穴３１は、固定具２９の長手方向に導波管配列と同ピッチで複数配列される。また、固定具２９における挿抜用開口穴３１が設けられていない側端面は、固定具２９の長手方向に導波管配列と同ピッチで複数配列される。すなわち、挿抜用開口穴３１と最外側端縁とが導波管の配列ピッチで矩形波状に配置されている。挿抜用開口穴３１は、長手方向の開口幅が導波管継ぎ手１５の外形幅よりも大きい。
【００３４】
図５に立ち戻って更に説明する。
隣接する固定具３０は、挿抜用開口穴３１が互いに正対した状態で、固定もしくは非固定のいずれか一方に設定される。隣接する固定具３０の両挿抜用開口穴３１が正対した状態で、両挿抜用開口穴３１間に導波管が位置するときに、ホーン型放射素子４の導波管継ぎ手１５が通り抜けることができ、導波管継ぎ手１５は挿抜可能な大きさをなしている。すなわち、上記正対した挿抜用開口穴３１の端縁同士の間隔は、導波管継ぎ手１５の幅よりも大きくなるように、挿抜用開口穴３１の奥行きが設定されている。
【００３５】
また、上記正対した挿抜用開口穴３１が、導波管２の存在しない位置、すなわち隣接する導波管２の間に位置するときに、固定具３０の長辺側最外側端面の縁部はホーン型放射素子４の導波管継ぎ手１５を付勢する。
【００３６】
同様にして、固定具３０と隣接する固定具２９とは、両者の挿抜用開口穴３１が互いに正対した状態で、固定もしくは非固定のいずれか一方に設定される。両挿抜用開口穴３１が正対した状態で、両挿抜用開口穴３１間に導波管が位置するときに、ホーン型放射素子４の導波管継ぎ手１５が通り抜けることができ、導波管継ぎ手１５は挿抜可能な大きさをなしている。すなわち、上記正対した挿抜用開口穴３１の端縁同士の間隔は、導波管継ぎ手１５の幅よりも大きくなるように、挿抜用開口穴３１の奥行きが設定されている。
【００３７】
また、上記正対した挿抜用開口穴３１が、導波管２の存在しない位置、すなわち隣接する導波管２の間に位置するときに、固定具３０及び固定具２９の長辺側最外側端面の縁部はホーン型放射素子４の導波管継ぎ手１５を付勢する。
【００３８】
この実施の形態２は以上のように構成され、次のように動作する。
まず、ホーン型放射素子４の取り付け手順について説明する。
押さえ金６の押さえ部２４に沿って固定具２９及び固定具３０を直線的に移動させ、挿抜用開口穴３１を給電部１の導波管２に位置合わせする。この状態で、正対す挿抜用開口穴３１により形成される穴越しにホーン型放射素子４を挿入し、複数のホーン型放射素子４を給電部１の導波管２に位置合わせする。この際、ホーン型放射素子４は、給電部１の位置決めピン２０によって位置決めされる。
【００３９】
ホーン型放射素子４の位置決めが完了した後、押さえ金６に沿って固定具２９及び３０をスライドさせて、正対する挿抜用開口穴３１が導波管継ぎ手１５と対面しなくなる位置（導波管２の間の位置）まで、固定具２９及び３０を移動させる。図１の例では、図の矢視Ａの方向に移動させることによって、固定具２９及び３０における最外側端縁をホーン型放射素子４の根元１２に合わせる。
この際、固定具２９及び３０における最外側端周縁の下面が、ホーン型放射素子４の導波管継ぎ手１５の上面に接触して当該上面を付勢し、固定具２９及び３０が導波管継ぎ手１５を押さえ込むことにより、ホーン型放射素子４が上下方向にも移動しなくなり、ホーン型放射素子４が完全に固定される。
【００４０】
次に、ホーン型放射素子４の取り外し手順について説明する。
押さえ金６の押さえ部２４に沿って固定具２９及び３０を、直線的に取り付け時と逆方向に移動させ、挿抜用開口穴３１を給電部１の導波管２に位置合わせし、固定具２９及び３０によるホーン型放射素子４の固定を解除する。この状態で、正対する挿抜用開口穴３１により形成される穴越しに、ホーン型放射素子４を取り出し、複数のホーン型放射素子４を抜き出す。
【００４１】
以上説明したとおり、この実施の形態２によれば、アレイ状に並んだ多数のホーン型放射素子４を同時に、取り付け固定したり、固定解除して取り外すことが可能になる。このため、従来のような給電部のねじ締め付けに伴なった、ホーン型放射素子の取付順番の制限を解消することができる。また、複数のホーン型放射素子４を用いたフェーズドアレイアンテナの組立時間を、大幅に短縮することができる。さらに、他の固定具を非固定状態とした上で、１つの固定具３０を移動させることによって、隣接する２列のホーン型放射素子を同時に、仮固定と非固定に切り替えできるので、試験調整時にホーン型放射素子４を何度も付け外しする際に、その組立効率が向上する。
【図面の簡単な説明】
【００４２】
【図１】この発明の実施の形態１によるアンテナ用放射器の接続構造を示す図である。
【図２】この発明の実施の形態１によるアンテナ用放射器における、給電部の導波管インタフェース面を示す図である。
【図３】この発明の実施の形態１による固定具を示す図である。
【図４】従来のアンテナ用放射器の接続構造を示す図である。
【図５】この発明の実施の形態２によるアンテナ用放射器の接続構造を説明するための図である。
【図６】この発明の実施の形態２による固定具を示す図である。
【符号の説明】
【００４３】
１  給電部、２  導波管、３  取り付け面、４  ホーン型放射素子、５  固定具、６  押さえ金、７  ねじ、１０  ホーン部、１２  根元、１５  導波管継ぎ手、２０  位置決めピン、２１  挿抜用開口穴、２２  固定用開口穴、２３  開口穴、２９  固定具、３０  固定具、３１  挿抜用開口穴、３２  長穴。
【図１】
2007235563.tif 000004
【図２】
2007235563.tif 000005
【図３】
2007235563.tif 000006
【図４】
2007235563.tif 000007
【図５】
2007235563.tif 000008
【図６】
2007235563.tif 000009